(57)【特許請求の範囲】
【請求項１】
洗浄槽と連通する連通口を通して前記洗浄槽内の湯水が導入される横断面形状が４角形状の湯水貯留槽と、前記湯水貯留槽の内部に装備されて、その湯水貯留槽に貯留される湯水の水位に応じて昇降する水位検出用のフロートと、前記洗浄槽の水位が洗浄用水位であるときの前記フロートの昇降位置を検出する水位検出部と、前記湯水貯留槽を洗浄する洗浄水を供給する洗浄水供給手段とが設けられた食器洗浄機の水位検出装置であって、
前記洗浄水供給手段が、前記湯水貯留槽の４つの側壁のうちの１つを洗浄水供給用の側壁として、その洗浄水供給用の側壁の左右両端側で、且つ、前記洗浄槽の水位が前記洗浄用水位であるときの前記湯水貯留槽の水面よりも上方側に相当する箇所に形成した一対の洗浄水供給口より、その洗浄水供給用の側壁と対向する側壁に向けて、その洗浄水供給用の側壁と隣接する１対の側壁の壁面に沿って洗浄水を吐出し、かつ、前記一対の洗浄水供給口より吐出される洗浄水の一部を、前記洗浄水供給用の側壁に沿って流下させるように構成され、
前記連通口が、前記洗浄水供給用の側壁と対向する側壁の下端部に連なる状態で形成されている食器洗浄機の水位検出装置。
【請求項２】
前記一対の洗浄水供給口を備える洗浄水供給室が、前記洗浄水供給用の側壁に外方に突出する状態で連設され、
その洗浄水供給室における外方突出側の壁部の左右方向の中央側箇所に、洗浄水が圧送される入水口が形成され、
前記洗浄水供給室の内部に、前記入水口からの洗浄水を前記一対の洗浄水供給口に向けて分岐流動させる平面視形状山形状の分水案内部が設けられている請求項１に記載の食器洗浄機の水位検出装置。
【請求項３】
前記洗浄槽に貯留された湯水を排水ポンプによって排水路を通して機外に排出するように構成され、且つ、前記排水路から分岐した分岐管が前記入水口に接続されている請求項２記載の食器洗浄機の水位検出装置。
【請求項４】
前記フロートと前記洗浄水供給用の側壁との間に相当する箇所に、前記一対の洗浄水供給口から吐出された洗浄水が前記フロートに飛散するのを抑制する防水壁が、前記洗浄水供給用の側壁に隣接する１対の側壁との間に洗浄水流動用の隙間を形成する状態で設けられている請求項１〜３のいずれか１項に記載の食器洗浄機の水位検出装置。
【請求項５】
前記フロートが、フロート本体とそのフロート本体から上方に延びる軸部とから構成され、
前記フロート本体の上面部が、山形状に形成されている請求項１〜４のいずれか１項に記載の食器洗浄機の水位検出装置。
【発明の詳細な説明】
【技術分野】
【０００１】
本発明は、洗浄槽と連通する連通口を通して前記洗浄槽内の湯水が導入される横断面形状が４角形状の湯水貯留槽と、前記湯水貯留槽の内部に装備されて、その湯水貯留槽に貯留される湯水の水位に応じて昇降する水位検出用のフロートと、前記洗浄槽の水位が洗浄用水位であるときの前記フロートの昇降位置を検出する水位検出部と、前記湯水貯留槽を洗浄する洗浄水を供給する洗浄水供給手段とが設けられた食器洗浄機の水位検出装置に関する。
【背景技術】
【０００２】
かかる食器洗浄機の水位検出装置は、洗浄工程やすすぎ工程において洗浄槽に湯水を供給するときに、洗浄槽の水位が、洗浄工程やすすぎ工程を行うための水位として定められた洗浄用水位であることを検出することに使用され、また、湯水貯留槽層を洗浄する洗浄水を供給する洗浄水供給手段が設けられているから、湯水貯留槽の汚れを除去できることになる。
【０００３】
洗浄水供給手段の第１の従来例として、湯水貯留槽の内部で且つ洗浄槽の水位が洗浄用水位であるときの湯水貯留槽の水面よりも上方側に相当する箇所に、湯水貯留槽における４つの側壁のうちの１つの側壁に向けて洗浄水を流出させる筒状経路が設けられ、筒状経路から流出した洗浄水を、側壁及び底壁に沿って流動させるようにしたものがある（例えば、特許文献１参照。）。
【０００４】
特許文献１においては、洗浄槽に貯留された湯水を排水ポンプによって吐出側ホースを経て機外に排出するように構成され、そして、吐出側ホースから分岐した循環ホースが上述の筒状経路に接続されて、排水ポンプによって排水される湯水の一部が、洗浄水として筒状経路に供給されることになる。
【０００５】
洗浄水供給手段の第２の従来例として、湯水貯留槽における４つの側壁のうちの１つの側壁における横一端側で且つ洗浄槽の水位が洗浄用水位であるときの湯水貯留槽の水面よりも下方側に相当する箇所に、その側壁と対向する側壁に向けて洗浄水を吐出する循環管接続孔が形成され、その循環管接続孔から洗浄水を吐出させることにより、湯水貯留槽内の湯水を旋回状態で流動させるようにしたものがある（例えば、特許文献２参照。）。
【０００６】
特許文献２においては、循環管接続孔から吐出された洗浄水を受け止める底壁を傾斜面に形成して、湯水貯留槽の湯水を旋回しながら上昇させることが記載されている。
また、特許文献２においては、洗浄槽に貯留された湯水を排水ポンプによって排水管より機外に排出するように構成され、且つ、排水管から分岐した循環管が上述の循環管接続孔に接続されて、排水ポンプによって排水される湯水の一部が、洗浄水として循環管接続孔に供給されることになる。
【先行技術文献】
【特許文献】
【０００７】
【特許文献１】特開２００５−１９３０７４号公報
【特許文献２】特開２００８−１５４７０６号公報
【発明の概要】
【発明が解決しようとする課題】
【０００８】
第１の従来例においては、筒状経路から流出した洗浄水が、湯水貯留槽の４つの側壁のうちの１つの側壁及び底壁に沿って流動するものであるため、湯水貯留槽の４つの側壁のうちの残りの３つの側壁における汚れを取り除くことができないものであり、改善が望まれるものである。
【０００９】
第２の従来例においては、循環管接続孔から洗浄水を吐出させることにより、湯水貯留槽内の湯水を旋回状態で流動させるものであるから、湯水貯留槽の４つの側壁の汚れを取り除くことができるものの、湯水貯留槽の４つの側壁における洗浄槽の水位が洗浄用水位であるときの湯水貯留槽の水面に対応する部分の汚れを、適切に取り除くできないものであり、改善が望まれるものであった。
【００１０】
説明を加えると、湯水貯留槽の４つの側壁における洗浄槽の水位が洗浄用水位であるときの湯水貯留槽の水面に対応する部分には、洗浄槽から流れ込んで湯水貯留槽の水面に浮遊する滓物等が付着堆積し易いものであり、この部分の汚れを適切に取り除くことが好ましいものであるが、第２の従来例においては、循環管接続孔から洗浄水を吐出させることにより、湯水貯留槽内の湯水を旋回状態で流動させるものであるため、湯水貯留槽の４つの側壁における洗浄槽の水位が洗浄用水位であるときの湯水貯留槽の水面に対応する部分の汚れを、適切に取り除くできないものであった。
【００１１】
本発明は、上記実情に鑑みて為されたものであって、その目的は、湯水貯留槽の４つの側壁における洗浄槽の水位が洗浄用水位であるときの湯水貯留槽の水面に対応する部分を含めて、湯水貯留槽の４つの側壁における汚れを適切に取り除くことができる食器洗浄機の水位検出装置を提供する点にある。
【課題を解決するための手段】
【００１２】
本発明の食器洗浄機の水位検出装置は、洗浄槽と連通する連通口を通して前記洗浄槽内の湯水が導入される横断面形状が４角形状の湯水貯留槽と、前記湯水貯留槽の内部に装備されて、その湯水貯留槽に貯留される湯水の水位に応じて昇降する水位検出用のフロートと、前記洗浄槽の水位が洗浄用水位であるときの前記フロートの昇降位置を検出する水位検出部と、前記湯水貯留槽を洗浄する洗浄水を供給する洗浄水供給手段とが設けられたものであって、その第１特徴構成は、
前記洗浄水供給手段が、前記湯水貯留槽の４つの側壁のうちの１つを洗浄水供給用の側壁として、その洗浄水供給用の側壁の左右両端側で、且つ、前記洗浄槽の水位が前記洗浄用水位であるときの前記湯水貯留槽の水面よりも上方側に相当する箇所に形成した一対の洗浄水供給口より、その洗浄水供給用の側壁と対向する側壁に向けて、その洗浄水供給用の側壁と隣接する１対の側壁の壁面に沿って洗浄水を吐出し、かつ、前記一対の洗浄水供給口より吐出される洗浄水の一部を、前記洗浄水供給用の側壁に沿って流下させるように構成され、
前記連通口が、前記洗浄水供給用の側壁と対向する側壁の下端部に連なる状態で形成されている点を特徴とする。
【００１３】
すなわち、湯水貯留槽の４つの側壁のうちの洗浄水供給用の側壁の左右両端側で、且つ、洗浄槽の水位が洗浄用水位であるときの湯水貯留槽の水面よりも上方側に相当する箇所に形成した一対の洗浄水供給口より、その洗浄水供給用の側壁と対向する側壁に向けて、その洗浄水供給用の側壁と隣接する１対の側壁の壁面に沿って洗浄水が吐出され、かつ、一対の洗浄水供給口より吐出される洗浄水の一部が、洗浄水供給用の側壁に沿って流下されることになる。
【００１４】
したがって、洗浄槽の水位が洗浄用水位である状態において、洗浄槽内の湯水を排水ポンプにて機外に排出するようにしながら、一対の洗浄水供給口より洗浄水を吐出することにより、湯水貯留槽の４つの側壁における洗浄槽の水位が洗浄用水位であるときの湯水貯留槽の水面に対応する部分を含めて、湯水貯留槽の４つの側壁における汚れを適切に取り除くことができる。
【００１５】
つまり、洗浄水供給用の側壁と隣接する１対の側壁については、その壁面に沿って吐出される洗浄水が、一対の側壁の壁面を洗浄する作用、及び、一対の洗浄水供給口より吐出された洗浄水の流れによって湯水貯留槽の水面部分が流動して、一対の側壁の壁面を洗浄する作用によって、一対の側壁の壁面が、洗浄槽の水位が洗浄用水位であるときの湯水貯留槽の水面に対応する部分を含めて洗浄されることになる。
【００１６】
また、洗浄水供給用の側壁と対向する側壁については、一対の洗浄水供給口より吐出されて、その対向する側壁の存在箇所に流動した洗浄水が、連通口より湯水貯留槽内の湯水が排出されるに伴って、その対向する側壁に沿って流下して、その対向する側壁の壁面を洗浄する作用により、その対向する側壁の壁面が、洗浄槽の水位が洗浄用水位であるときの湯水貯留槽の水面に対応する部分を含めて洗浄されることになる。
【００１７】
また、洗浄水供給用の側壁については、一対の洗浄水供給口より吐出される洗浄水の一部が、洗浄水供給用の側壁に沿って流下するため、その流下する洗浄水が洗浄水供給用の側壁の壁面を洗浄する作用によって、洗浄水供給用の側壁の壁面が、洗浄槽の水位が洗浄用水位であるときの湯水貯留槽の水面に対応する部分を含めて洗浄されることになる。
【００１８】
要するに、本発明の第１特徴構成によれば、湯水貯留槽の４つの側壁における洗浄槽の水位が洗浄用水位であるときの湯水貯留槽の水面に対応する部分を含めて、湯水貯留槽の４つの側壁における汚れを適切に取り除くことができる食器洗浄機の水位検出装置を提供できる。
【００１９】
本発明の第２特徴構成は、上記した第１特徴構成に加えて、
前記一対の洗浄水供給口を備える洗浄水供給室が、前記洗浄水供給用の側壁に外方に突出する状態で連設され、
その洗浄水供給室における外方突出側の壁部の左右方向の中央側箇所に、洗浄水が圧送される入水口が形成され、
前記洗浄水供給室の内部に、前記入水口からの洗浄水を前記一対の洗浄水供給口に向けて分岐流動させる平面視形状山形状の分水案内部が設けられている点を特徴とする。
【００２０】
すなわち、洗浄水供給室の入水口に圧送された洗浄水は、洗浄水供給室の内部に設けられた分水案内部にて分岐流動させながら、一対の洗浄水供給口に流動されて、その一対の洗浄水供給口から吐出されることになる。
【００２１】
一対の洗浄水供給口にから吐出される洗浄水は、その洗浄水供給用の側壁と対向する側壁に向けて、その洗浄水供給用の側壁と隣接する１対の側壁の壁面に沿って洗浄水が吐出されることになり、また、洗浄水供給室の洗浄水の流れは、分水案内部を障害物として、その分水案内部に沿って流動する流れとなるため、カルマン渦の発生により、一対の洗浄水供給口にから吐出される洗浄水の一部が、洗浄水供給用の側壁に沿って流下する流れを形成することになる。
【００２２】
このように、洗浄水供給室の入水口に洗浄水を圧送するだけで、一対の洗浄水供給口から、洗浄水供給用の側壁と対向する側壁に向けて、その洗浄水供給用の側壁と隣接する１対の側壁の壁面に沿って洗浄水を吐出させることや、洗浄水供給用の側壁に沿って流下する洗浄水の流れを形成できるのであり、構成の簡素化を図る形態で、湯水貯留槽の４つの側壁における汚れを取り除くことができる。
【００２３】
要するに、本発明の第２特徴構成によれば、上記した第１特徴構成による作用効果に加えて、簡素な構成にて、湯水貯留槽の４つの側壁における汚れを取り除くことができる食器洗浄機の水位検出装置を提供できる。
【００２４】
本発明の第３特徴構成は、上記した第２特徴構成に加えて、
前記洗浄槽に貯留された湯水を排水ポンプによって排水路を通して機外に排出するように構成され、且つ、前記排水路から分岐した分岐管が前記入水口に接続されている点を特徴とする。
【００２５】
すなわち、洗浄槽に貯留されている湯水を機外に排出するために排水ポンプが作動されると、排水路を流動する湯水の一部が、洗浄水として、分岐管を通して入水口に圧送されることになる。
【００２６】
このように、洗浄槽に貯留されている湯水を機外に排出するための構成を利用して、湯水貯留槽を洗浄する洗浄水を供給できるから、全体構成の簡素化を図る形態で、湯水貯留槽の洗浄を行えるものとなる。
【００２７】
要するに、本発明の第３特徴構成によれば、上記した第２特徴構成による作用効果に加えて、洗浄槽に貯留されている湯水を機外に排出するための構成を利用した簡素な構成にて、湯水貯留槽の洗浄を行える食器洗浄機の水位検出装置を提供できる。
【００２８】
本発明の第４特徴構成は、上記第１~第３特徴構成のいずれかに加えて、
前記フロートと前記洗浄水供給用の側壁との間に相当する箇所に、前記一対の洗浄水供給口から吐出された洗浄水が前記フロートに飛散するのを抑制する防水壁が、前記洗浄水供給用の側壁に隣接する１対の側壁との間に洗浄水流動用の隙間を形成する状態で設けられている点を特徴とする。
【００２９】
すなわち、一対の洗浄水供給口から吐出された洗浄水が防水壁にて受け止められて、フロートに飛散するのが抑制されることになり、そして、一対の洗浄水供給口から、洗浄水供給用の側壁と対向する側壁に向けて吐出される洗浄水は、防水壁と、洗浄水供給用の側壁に隣接する１対の側壁との間に形成された洗浄水流動用の隙間を通して、洗浄水供給用の側壁と対向する側壁に向けて流動することになる。
【００３０】
つまり、一対の洗浄水供給口から吐出される洗浄水の一部を、洗浄水供給用の側壁の壁面に沿って流下させるようにすることにより、一対の洗浄水供給口から吐出される洗浄水がフロートに飛散する虞があるが、フロートが洗浄水にて濡れることを抑制して、水位検出を適切に行わせることができる。
【００３１】
要するに、本発明の第４特徴構成によれば、上記した第１〜第３特徴構成のいずれかによる作用効果に加えて、フロートが洗浄水にて濡れることを抑制して、水位検出を適切に行わせることができる食器洗浄機の水位検出装置を提供できる。
【００３２】
本発明の第５特徴構成は、上記第１〜第４特徴構成のいずれかに加えて、
前記フロートが、フロート本体とそのフロート本体から上方に延びる軸部とから構成され、
前記フロート本体の上面部が、山形状に形成されている点を特徴とする。
【００３３】
すなわち、フロートは、一般に、フロート本体とそのフロート本体から上方に延びる軸部とから構成されることになるが、フロート本体の上面部が、山形状に形成されているから、フロート本体に洗浄水が飛散しても、その飛散した洗浄水が、山形状に形成されたフロート本体の上面部に沿って外部に流下するため、フロート本体の重量が洗浄水のために重くなることを抑制して、水位検出を適切に行わせることができる。
【００３４】
要するに、本発明の第５特徴構成によれば、上記した第１〜第４特徴構成のいずれかによる作用効果に加えて、フロートが洗浄水のために重くなることを抑制して、水位検出を適切に行わせることができる食器洗浄機の水位検出装置を提供できる。
【図面の簡単な説明】
【００３５】
【図１】食器洗浄機の斜視図
【図２】洗浄槽を収納した状態の切欠側面図
【図３】前面の扉体を取り外した洗浄槽を前方側から見た斜視図
【図４】洗浄槽を背面側から見た斜視図
【図５】食器洗浄機の概略構成図
【図６】乾燥用空気の流動状態を示す概略斜視図
【図７】制御作動を示すフローチャート
【図８】水位検出装置の切欠斜視図
【図９】同装置の斜視図
【図１０】同装置の斜視図
【図１１】蓋体の平面図
【図１２】蓋体の案内溝形成部分の断面図
【図１３】湯水排出水位の検出状態の縦断側面図
【図１４】洗浄水位の検出状態の縦断側面図
【図１５】異常水位の検出状態の縦断側面図
【図１６】フロートの斜視図
【図１７】蓋体を取り外した湯水貯留槽の平面図
【図１８】洗浄水の流動状態を示す縦断側面図
【発明を実施するための形態】
【００３６】
〔実施形態〕
次に、本発明の実施形態を図面に基づいて説明する。
図１〜図４に示すように、前面部が開口された本体部１が設けられ、平面視形状が四角状の洗浄槽Ｄを備えた引出し部２が、本体部１に対して、引出し移動及び収納移動自在に設けられて、食器洗浄機の一例としての引出し式の食器洗浄機が構成されている。
尚、例示はしないが、引出し部２を本体部１に対して移動自在に支持するスライド式レール機構が設けられており、引出し部２が、その大部分を本体部１の外方に露出させる状態に引き出すことができるように構成されている。
【００３７】
そして、引出し部２を本体部１に収納した状態で洗浄槽Ｄの上面部を閉塞し、かつ、引出し部２を本体部１から引き出した状態で洗浄槽Ｄの上面部を開口させる内蓋部３が設けられており、洗浄槽Ｄの内部空間にて、開閉自在な洗浄空間Ｑが構成されている。
【００３８】
引出し部２の前面部には、本体部１の前面部の開口を開閉する扉体Ａが設けられ、その扉体Ａには、引出し部２を本体部１から引き出すときや収納するときに把持するための把持部Ｂが設けられている。尚、詳述はしないが、把持部Ｂの内方側箇所には、引出し部２を本体部１に収納するに伴って本体部１の係止部Ｐａに係合する係合手段Ｐが設けられており、この係合手段Ｐが係止部Ｐａに係合することにより、引出し部２を本体部１に収納した状態に保持するようになっている。そして、係合手段Ｐは、引出し部２を本体部１から引き出すときに把持部Ｂを支持する手指にて、係合を解除する解除状態に操作できるようになっている。
また、扉体Ａには、運転のための各種操作を行う操作部ＳＳが設けられている。
【００３９】
図２及び図５に示すように、洗浄槽Ｄに水を供給する給水路４および給水路４を開閉する給水弁４ａが設けられている。
引出し部２における洗浄槽Ｄの底部下方には、正転で洗浄ポンプとして機能し、且つ、逆転で排水ポンプとして機能する兼用ポンプ６が設けられ、洗浄槽Ｄの内部には、洗浄ノズル８や加熱手段としての電気式の加熱ヒータ９などが配置され、さらに、食器などの洗浄対象物を収納載置する洗浄かご１０が、洗浄槽Ｄの内部に着脱自在に装着されている。
【００４０】
兼用ポンプ６は、洗浄槽Ｄの底部に形成した水貯留用凹部Ｓに、吸引管１１にて接続され、かつ、兼用ポンプ６には、湯水を機外に排出するための排水路としての排水管１２が接続されている。
尚、図２に示すように、本体部１の底部には、漏水受止め用のドレンパン１４が配備されており、例示はしないが、このドレンパン１４にて受止め回収された水の存否を検出する漏水センサが装備されることになる。
【００４１】
また、図２及び図5に示すように、水貯留用凹部Ｓには、連通路としての案内管１３を介して水位検出装置としての水位センサＪが接続されている。
この水位センサＪは、後述の如く、洗浄槽Ｄ内に貯留される湯水の水位が洗浄用水位（高水位）であること、洗浄槽Ｄ内に貯留される湯水の水位が、加熱ヒータ９が露出する程度に低い湯水排出水位（低水位）であること、及び、洗浄槽Ｄ内に貯留される湯水が洗浄用水位より設定量高い異常水位であることを検出するように構成されている。
【００４２】
図２、図３及び図５に示すように、洗浄槽Ｄにおける４つの側壁部のうちの、機体前面側、つまり引出し部前面側に相当する前側壁部Ｄｆには、乾燥ユニットＫが取り付けられている。
つまり、前側壁部Ｄｆには、図６にも示すように、乾燥ユニットＫからの空気を洗浄空間Ｑに供給する空気供給口２１、及び、乾燥ユニットＫが洗浄空間Ｑ内の空気を吸引する空気吸引口２２が、下方側で左右両側に離れた位置に形成されている。具体的には、空気供給口２１及び空気吸引口２２は、洗浄かご１０よりも下方側に位置するように形成されるものであり、そして、本実施形態では、空気供給口２１を右側に、且つ、空気吸引口２２を左側に位置させている。
【００４３】
乾燥ユニットＫは、洗浄槽Ｄの前側壁部Ｄｆに止着されるケーシング２０の内部に、空気吸引口２２と空気供給口２１とに亘る通風経路Ｆを通して洗浄空間Ｑの空気を循環させる通風手段としての循環ファン２３、及び、通風経路Ｆを通して循環される空気を除湿する除湿部Ｇを備えて構成されている。
通風経路Ｆは、空気吸引口２２から上方側に伸びる上昇経路部分ｆ１とその上昇経路部分ｆ１の上端部から空気供給口２１に向けて下方側に伸びる下降経路部分ｆ２とからなる逆Ｕ字状に形成されており、上昇経路部分ｆ１に、除湿部Ｇが配設され、下降経路部分ｆ２に、循環ファン２３が配設されている。
【００４４】
除湿部Ｇは、複数枚の伝熱板２４を板厚方向に沿って間隔を隔てて並置して、それら伝熱板２４に向けて除湿用水を噴出ノズル２５から噴出することによって、複数枚の伝熱板２４の間を通して上方に向けて流動する空気を、伝熱板２４の表面を流下する除湿用水との接触及び伝熱板２４の間を流下する除湿用水との接触により冷却することにより、空気中の水分を凝縮させて除湿するように構成されている。
尚、噴出ノズル２５から噴出された除湿用水は、空気吸引口２２を通して洗浄槽Ｄの内部に流動して水貯留用凹部Ｓに貯留されることになる。
【００４５】
図５に示すように、噴出ノズル２５に水を供給する除湿用給水路２６が設けられ、その除湿用給水路２６を開閉する除湿用水断続弁２７、及び、給水圧安定用のガバナ２８が設けられている。
【００４６】
そして、電気式の加熱ヒータ９を加熱作用させた状態で、循環ファン２３の通風作動及び噴出ノズル２５の除湿用水の噴出作動を行わせることにより、洗浄空間Ｑから吸引した空気を除湿部Ｇにて除湿したのち、乾燥用の空気として洗浄空間Ｑに供給し、その供給された空気を電気式の加熱ヒータ９にて加熱することにより、洗浄空間Ｑ内の洗浄対象物を乾燥する乾燥運転を行えるように構成されている。
【００４７】
また、電気式の加熱ヒータ９を停止させた状態で、循環ファン２３の通風作動及び噴出ノズル２５の除湿用水の噴出作動を行わせることにより、洗浄空間Ｑから吸引した空気中の臭気成分を除湿部Ｇにて除湿用水に吸収させたのち、洗浄空間Ｑに供給することにより、洗浄空間Ｑを消臭する消臭運転を行えるように構成されている。
【００４８】
乾燥運転における空気の流れについて説明を加えると、図６に示すように、洗浄槽Ｄの前側壁部Ｄｆに形成した空気供給口２１から洗浄空間Ｑに供給される空気は、主たる流れとして、上昇しながら後側壁部に向けて流動し、その後、前側壁部Ｄｆにおける下方側で且つ空気供給口２１とは左右方向で離れた位置に形成した空気吸引口２２に向けて下方側に移動しながら流動して、空気吸引口２２から排出される形態で流れることになり、洗浄槽内における空気吸引口２２が位置する側の下方側の部分にも、空気が流動し易いものとなるのである。
したがって、洗浄槽内の洗浄対象物の全体に空気を通流させて、洗浄対象物を効率良く乾燥することにより、乾燥時間の短縮化を図ることができるものとなる。
【００４９】
図５に示すように、引出し部２には、運転を制御する制御手段としての制御部Ｈが装備され、この制御部Ｈが、操作部ＳＳにて入力される指令に基づいて、給水弁４ａ、兼用ポンプ６、電気式の加熱ヒータ９、循環ファン２３、及び、除湿用水断続弁２７の作動を制御して、洗浄槽Ｄの内部にて形成される洗浄空間Ｑの洗浄対象物を洗浄液としての湯水にて洗浄する洗浄運転、洗浄槽Ｄの水貯留用凹部Ｓに貯留されかつ電気式の加熱ヒータ９にて加熱されるすすぎ水により洗浄対象物のすすぎを行うすすぎ運転、洗浄槽Ｄの水貯留用凹部Ｓに貯留されたすすぎ水を排水する排水運転、電気式の加熱ヒータ９を加熱作用させた状態で、循環ファン２３の通風作動及び噴出ノズル２５の除湿用水の噴出作動を行わせる乾燥運転、及び、電気式の加熱ヒータ９を停止させた状態で、循環ファン２３の通風作動及び噴出ノズル２５の除湿用水の噴出作動を行わせる消臭運転等の運転を行うものであり、次に、制御部Ｈが実行する運転について説明を加える。
【００５０】
つまり、使用者は、操作部ＳＳにより、洗浄運転、すすぎ運転、排水運転、乾燥運転、消臭運転の順に運転させる連続運転コースや、乾燥運転のみ運転させる乾燥のみコースなど各種の運転コースを選択できるように構成され、さらに、連続運転コースとして、標準運転コース、念入り運転コース、スピーディ運転コース、快速運転コースが備えられているが、本実施形態においては、標準運転コースについてのみ説明する。
【００５１】
図７のフローチャートに基づいて、制御部Ｈの制御作動について説明する。
まず、図外の収納スイッチにより、引出し部２が本体部１の収納位置に収納されることが検出され（＃１）、操作部ＳＳの電源スイッチがＯＮ操作されると（＃２）、運転コースの選択が行われることになる（＃３）。本実施形態では、標準運転コースが選択されたとして説明を続ける。
操作部ＳＳのスタートスイッチがＯＮ操作されると（＃４）、標準運転コースが開始されて、洗浄運転（＃５）、すすぎ運転（＃１０）、排水運転（＃１５）、乾燥運転（＃１６）、消臭運転（＃２１）が順次実行される。
【００５２】
洗浄運転は、先ず、給水弁４ａを開弁して給水路４を通して洗浄槽Ｄ内に洗浄水を給水し、その水位が水位センサＪにて上述した洗浄水位に達したことが検出されると、給水弁４ａを閉じる給水動作を行い、その後、兼用ポンプ６を正転作動させ且つ加熱ヒータ９を作動させて、洗浄水を洗浄ノズル８から洗浄対象物に向けて噴出する洗浄動作を、洗浄運転用設定時間が経過するまで行い、次に、兼用排水ポンプ６を逆転作動させ、洗浄槽Ｄ内の洗浄水を排水する排水動作を、水位センサＪにて上述した湯水排出水位に達したことが検出されるまで行うことになる。
尚、使用者が操作部ＳＳのスタートスイッチをＯＮ操作する前に洗浄用洗剤を洗浄槽Ｄ内に投入しておくことにより、洗剤を用いた洗浄を行うことができる。
【００５３】
そして、洗浄運転（＃５）が開始されたのちは、洗浄運転用設定時間が経過した洗浄終了であるか否かが判断され（＃６）、洗浄終了である場合には、すすぎ運転（＃９）に移行することになる。
＃６にて、洗浄終了でないと判断したときには、操作部ＳＳにて中断指令が指令されたか否かを判断し（＃７）、中断指令が指令された場合には、兼用ポンプ６を停止させる等の洗浄運転を中断させるための中断処理を行う（＃８）。
その後、操作部ＳＳにて再開指令が指令されるまで（＃９）、洗浄運転を中断することになり、洗浄運転を中断しているときに、再開指令が指令されると（＃９）、洗浄運転を再開することになる。
このように洗浄運転を中断できるので、洗浄対象物を追加したい場合に、その洗浄対象物を洗浄空間Ｑに収納させることができる。
【００５４】
すすぎ運転は、上述の洗浄運転における給水動作と同様の給水動作を行って、洗浄槽Ｄの底部にすすぎ水を上述した洗浄水位が検出されるまで貯留させ、その後、兼用ポンプ６および加熱ヒータ９を作動させて、加熱ヒータ９にて加熱されたすすぎ水により洗浄対象物のすすぎを設定時間が経過するまで行うすすぎ動作、及び、兼用ポンプ６を逆転作動させて、洗浄槽Ｄの底部に貯留されたすすぎ水を上述した湯水排出水位となるまで排水する排水動作を順次行うすすぎ動作を、２回行い、最後に加熱すすぎ動作を行うことになる。
加熱すすぎ動作は、上述の給水作動により、洗浄槽Ｄの底部にすすぎ水を上述した洗浄水位分貯留させたのち、兼用ポンプ６および加熱ヒータ９を作動させて、加熱ヒータ９にて加熱されたすすぎ水により洗浄対象物のすすぎを行うことになり、そして、図外の温度センサにより、すすぎ水の温度が仕上げ用設定温度（例えば、６７℃）になると、加熱すすぎ動作を終了することになる。
【００５５】
そして、すすぎ運転（＃１０）が開始されたのちは、すすぎ運転の全工程が終了したすすぎ終了であるか否かが判断され（＃１１）、すすぎ終了である場合には、排水運転（＃１５）に移行することになる。
＃１１にて、すすぎ終了でないと判断したときには、操作部ＳＳにて中断指令が指令されたか否かを判断し（＃１２）、中断指令が指令された場合には、兼用ポンプ６および加熱ヒータ９を停止する等のすすぎ運転を中断するための中断処理を行う（＃１３）。
その後、操作部ＳＳにて再開指令が指令されるまで（＃１４）、すすぎ運転を中断し、すすぎ運転を中断しているときに、再開指令が指令されると（＃１４）、すすぎ運転を再開することになる。
このようにすすぎ運転を中断できるので、すすぎを行いたい洗浄対象物を追加したい場合に、その洗浄対象物を洗浄空間Ｑに収納させることができる。
【００５６】
排水運転は、兼用ポンプ６を逆転作動させて、洗浄槽Ｄの底部に貯留されたすすぎ水を排水する排水動作を、上述した湯水排出水位となるまで行うことになる。
また、制御部Ｈは、この排水運転において兼用ポンプ６の逆転作動を開始してから設定時間が経過するまでに、上述した湯水排出水位が検出されなかった場合には、排水動作が適切に行われなかったとして、エラーを報知するように構成されている。
【００５７】
乾燥運転は、電気式の加熱ヒータ９を加熱作用させた状態で、循環ファン２３の通風作動及び噴出ノズル２５の除湿用水の噴出作動を行わせることになり、その状態を乾燥用設定時間（例えば、２５分）が経過するまで継続させる。そして、乾燥用設定時間が経過すると、洗浄槽Ｄの底部に貯留された除湿用水を排水する排水動作を行う。
【００５８】
そして、乾燥運転（＃１６）が開始されたのちは、乾燥用設定時間が経過した乾燥終了であるか否かが判断され（＃１７）、乾燥終了である場合には、消臭運転（＃２１）に移行することになる。
＃１７にて、乾燥終了でないと判断したときには、操作部ＳＳにて中断指令が指令されたか否かを判断し（＃１８）、中断指令が指令された場合には、加熱ヒータ９の加熱作動、循環ファン２３の通風作動、噴出ノズル２５の噴出作動を停止する等の乾燥運転を中断するための中断処理を行う（＃１９）。
その後、操作部ＳＳにて再開指令が指令されるまで（＃２０）、乾燥運転を中断し、乾燥運転を中断しているときに、再開指令が指令されると（＃２０）、乾燥運転を再開することになる。
このように乾燥運転を中断できるので、乾燥を行いたい洗浄対象物を追加した場合に、その洗浄対象物を洗浄空間Ｑに収納させることができる。
【００５９】
消臭運転は、電気式の加熱ヒータ９を停止させた状態で、循環ファン２３の通風作動及び噴出ノズル２５の除湿用水の噴出作動を行わせることになり、その状態を消臭用設定時間が経過するまで行う。そして、消臭用設定時間が経過すると、洗浄槽Ｄの底部に貯留された消臭用水を排水する排水動作を、上述した湯水排出水位となるまで行う。
【００６０】
図７のフローチャートには例示しないが、制御部Ｈは、給水弁４ａを通して洗浄槽Ｄに供給される単位時間当たりの湯水供給量よりも単位時間当たりの排水量を多くする状態で兼用ポンプ６を作動させるように構成されるものであり、そして、洗浄運転やすすぎ運転において給水弁４ａを開き状態にして湯水を洗浄槽Ｄに供給しているときに、水位センサＪにて異常水位が検出されたときには、給水弁４ａを閉じ状態にし、且つ、兼用ポンプ６を作動させる漏水防止運転処理を実行するように構成されている。
【００６１】
また、制御部Ｈは、漏水防止運転処理を実行しているときに、水位センサＪにて上述した洗浄水位より低い水位であることが検出されると、兼用ポンプ６を停止させて漏水防止運転処理を停止するように構成されている。
ちなみに、水位センサＪにて洗浄水位より低い水位であることが検出されるときとは、水位センサＪが洗浄水位を検出している状態から洗浄水位を検出しない状態に変化したときである。
【００６２】
図４及び図５に示すように、閉じた状態の洗浄空間Ｑの内部圧が機外圧となるように自動調整する圧力調整手段Ｗが設けられている。
すなわち、例えば、すすぎ処理における最後のすすぎ工程、つまり、電気式の加熱ヒータ９を作動させて高温のすすぎを行う途中において、洗浄対象物を追加収納する作業や、洗浄中の洗浄対象物の一部を取り出す作業等を行うために、一旦運転を停止し、洗浄空間Ｑを開いて所要の作業を行ったのち、再び、高温のすすぎを行う運転を開始すると、洗浄空間Ｑを開いたときに洗浄空間Ｑ内に侵入した多量の空気が、高温のすすぎにより加熱されて急激に膨張して、洗浄空間Ｑの内部圧が大きく増加しようとすることがあるが、このようなときには、圧力調整手段Ｗの作用によって、洗浄空間Ｑの内部圧が機外圧となるように自動調整されることになる。
【００６３】
また、洗浄処理において、電気式の加熱ヒータ９を加熱させたときには洗浄空間Ｑ内の温度はかなりの高温（例えば６７℃）になる。その後、洗浄水が排出されて、すすぎ処理のためにすすぎ水が洗浄空間Ｑに供給され、そのすすぎ水が兼用ポンプ６の作動により洗浄ノズル８より噴出されることになるが、そのすすぎ水の温度は低温（例えば１３〜１７℃）である。このため、低温のすすぎ水が洗浄ノズル８から噴出されると、洗浄空間Ｑ内の温度が急激に低下するものとなり、その結果、洗浄空間Ｑ内の多量の空気が急激に収縮し、洗浄空間Ｑの内部圧が大きく減少しようとすることがあるが、このようなときには、圧力調整手段Ｗの作用によって、洗浄空間Ｑの内部圧が機外圧となるように自動調整されることになる。
【００６４】
圧力調整手段Ｗは、洗浄槽Ｄの背壁ＤＲに形成した連通孔３２を通して、洗浄槽Ｄ内の洗浄空間Ｑと連通して、洗浄空間Ｑ内の圧力を調整するように構成されるものであるが、本実施形態においては、その詳細な構成についての説明は省略する。
尚、圧力調節手段Ｗには、結露水が生じることがあるが、その結露水が水位センサＪを介して、洗浄槽Ｄに回収されるように構成されている。
【００６５】
以下、水位センサＪについて説明する。
図８〜図１０に示すように、洗浄槽Ｄの底部に案内管１３にて接続されて、その洗浄槽Ｄ内の湯水が導入される水位検出用の湯水貯留槽４０と、湯水貯留槽４０の内部に装備されて、その湯水貯留槽４０に貯留される湯水の水位に応じて昇降する水位検出用のフロート４１と、フロート４１におけるフロート本体としての本体部４１Ａから上方に延びる軸部４１Ｂを昇降自在に案内する案内部Ｕとが設けられ、さらに、湯水貯留槽４０の上端よりも上方側箇所に位置されて、フロート４１の上下２つの昇降位置を検出するための一対の第１水位検出部Ｔ１及び第２検出部Ｔ２が設けられている。
【００６６】
湯水貯留槽４０は、横断面形状が４角形状の有底筒状に形成されるものであって、その底部には、上述した案内管１３が接続される連通口として連結用筒部４０Ｃが形成され、そして、その上部に外嵌される蓋体４２にて、上方開口が覆われるようになっている。
【００６７】
ちなみに、湯水貯留槽４０の上端側部分は、洗浄水受け入れ部４０Ａ、及び、圧力調整手段Ｗからの結露水を受け止める結露水受け部４０Ｂが、外方に突出状態で設けられ、蓋体４２が、洗浄水受け入れ用の貯留部４０Ａ及び結露水受け部４０Ｂを覆う状態に形成され、そして、蓋体４２における結露水受け部４０Ｂを覆う部分には、圧力調整手段Ｗとの連結用の開口部Ｖが形成されている。
尚、洗浄水受け入れ部４０Ａの機能については後述する。
【００６８】
フロート４０の上下２つの昇降位置は、上述した洗浄用水位を検出するための昇降位置（図１４参照）と、上述した湯水排出水位を検出するための昇降位置（図１３参照）とであり、第１水位検出部Ｔ１が、高位側の洗浄用水位を検出する昇降位置にフロート４１が位置することを検出し、第２水位検出部Ｔ２が、低位側の湯水排出水位を検出する昇降位置にフロート４１が位置することを検出するように構成されている。
【００６９】
第１水位検出部Ｔ１及び第２検出部Ｔ２が、フォトインタラプタ式の光センサを用いて構成され、第１水位検出部Ｔ１が、蓋体４２の上部に突設した第１センサ取付け部４２ａに装着され、第２水位検出部Ｔ２が、蓋体４２の上部に突設した第２センサ取付け部４２ｂに装着されている。
【００７０】
また、蓋体４２には、上述した異常水位を検出する異常水位検出用の電極４３が、上端側を蓋体４２の上方に位置させ、且つ、下端側を湯水貯留槽４０内に突出させる状態で設けられている。
つまり、異常水位検出用の電極４３は、図１５に示すように、湯水貯留槽４０の水位が第１水位検出部Ｔ１及び第２検出部Ｔ２のうちの高水位側の第２水位検出部Ｔ１にて検出される水位よりも設定量高くなったときに湯水貯留槽４０に貯留される湯水にて導通される導通される状態で、蓋体４２に装備されている。
【００７１】
図８及び図１３に示すように、フロート４１の軸部１４Ｂが、フロート１４が複数の昇降位置のうちの低水位側の昇降位置に位置する状態において、つまり、湯水排出水位を検出するための昇降位置に位置する状態において、その上端部を湯水貯留槽４０の上端よりも下方に位置させる長さに形成されている。
また、案内部Ｕが、湯水貯留槽４０の上端よりも下方に位置するフロート４０の軸部４０Ｂを案内すべく、湯水貯留槽４０の上端よりも下方に位置して案内するように構成されている。
【００７２】
そして、第１水位検出部Ｔ１及び第２検出部Ｔ２のうちの低水位側の第２検出部Ｔ２にて検出される被検出部４４ａを備えた揺動レバー４４が、フロート４１の軸部４１Ｂの上端部に連係されて上下に揺動する状態で設けられている。
説明を加えると、揺動レバー４４の長手方向の中間部が、第２センサ取付け部４２ｂに、横軸心Ｘ回りで上下揺動自在に枢支され、横軸心Ｘから延びる一対のレバー部分の一方側部分が、上述の被検出部４４ａに形成され、他方側部分が、軸部４１Ｂとの連係部４４ｂに形成されている。
連係部４４ｂは、二股状に形成されて、その連係部４４ｂに、軸部４１Ｂの上端部が係合されるように構成されている。
【００７３】
つまり、軸部４１Ｂの上端部であって、上端よりも下方側箇所には、図１６に示すように、左右一対の旗状体４１ａが突設され、軸部４１Ｂの上端には、外れ止め用の突起部４１ｂが左右一対の旗状体４１ａと同方向に突出する状態に形成されている。
そして、揺動レバー４４の二股状の連係部４４ｂが、外れ止め用の突起部４１ｂと左右一対の旗状体４１ａの間に挿入し、且つ、軸部４１の上端部が、二股状の連係部４４ｂを貫通する状態となるように構成されている。
【００７４】
図１４に示すように、フロート４１の軸部４１Ｂが、フロート４１が複数の昇降位置のうちの高水位側の昇降位置に位置する状態において、つまり、洗浄用水位を検出する状態において、その上端部を湯水貯留槽４０の上端よりも上方に位置させる長さに形成されている。
そして、上述した一対の旗状体４１ａのうちの１つが、第１検出部Ｔ１にて検出される被検出部と機能するように構成されている。
【００７５】
案内部Ｕが、フロート４１の昇降全範囲に亘って、軸部４１Ｂの上端部に設けた一対の旗状体４１ａのうちの１つを係合する案内溝Ｕ１として構成されている。つまり、一対の旗状体４１ａのうち１つが、案内溝Ｕ１に係合される被案内片として機能するように構成されている。
ちなみに、案内部Ｕは、一対の旗状体４１ａのうちの第１検出部Ｔ１にて検出される被検出部と機能する旗状体４１ａが係合する補助案内溝Ｕ２をも備えるように構成されているが、この補助案内溝Ｕ２は、第１検出部Ｔ１の近くまでは存在するものの、被検出部と機能する旗状体４１ａが第１検出部Ｔ１にて検出される箇所では存在しないものであるため、フロート４１の昇降全範囲に亘ってフロート４１を案内するものではない。
【００７６】
案内部Ｕについて説明を加えると、湯水貯留槽４０の上方開口を覆う蓋体４２が、フロート４１の軸部４１Ｂの挿通箇所ほど低位となる状態で水貯留槽の上端よりも下方に突出する下向き凹入部分４２Ａ、及び、案内溝形成用の上方突出部分４２Ｂを備える状態に形成され、案内溝Ｕ１が、蓋体４２における凹入部分４２Ａ及び蓋体の上方突出部分４２Ｂに亘る状態で形成されている。
【００７７】
また、蓋体４２には、補助案内溝Ｕ２を形成するための補助案内溝形成用の上方突出部分４２Ｃを備える状態に形成され、補助案内溝Ｕ２が、蓋体４２における凹入部分４２Ａ及び蓋体４２の上方突出部分４２Ｃに亘る状態で形成されている。
【００７８】
ちなみに、図１２に示すように、蓋体４２の凹入部分４２Ａにおける案内溝Ｕ１及び補助案内溝Ｕ２の形成部分であって、且つ、溝底面側に相当する部分が、他の部分とは分離されて、外方側に弾性変形自在に構成され、かつ、フロート４１の軸部４１Ｂの上端側に設けた一対の旗状体４１ａを係止する係止爪部Ｅを備えるように構成されている。
したがって、フロート４１の軸部４１Ｂを、一対の係止爪部Ｅの間に向けて下方側から押し込むようにすることにより、一対の旗状体４１ａが案内溝Ｕ１及び補助案内溝Ｕ２に係合する状態に組付けることができ、また、一対の旗状体４１ａを係止爪部Ｅにて係止することにより、フロート４１の軸部４１Ｂが案内溝Ｕ１及び補助案内溝Ｕ２から外れることが抑制するように構成されている。
【００７９】
上述の洗浄水受け入れ部４０Ａについて説明を加えると、図５に示すように、排水運転を行うときに、排水管１２を通流する湯水の一部が、分岐管１２ａを通して、水位センサＪ側に分岐流動するように構成され、そして、分岐管１２が、洗浄水受け入れ部４０Ａに設けた管接続部４０ａ接続されている。
したがって、排水運転を行うときに、兼用ポンプ６にて排水される湯水の一部が洗浄水受け入れ部４０Ａに流動したのち、湯水貯留槽４０の内部に吐出されることにより、湯水貯留槽４０の壁面を洗浄できるように構成されている。
【００８０】
すなわち、湯水貯留槽を洗浄する洗浄水を供給する洗浄水供給手段Ｌが、洗浄水受け入れ部４０Ａとそれを覆う蓋体４２とにより囲まれた洗浄水供給室Ｎを用いて構成されている。
つまり、洗浄水供給手段Ｌが、図１３及び図１７に示すように、湯水貯留槽の４つの側壁Ｍ１〜Ｍ４のうちの１つを洗浄水供給用の側壁Ｍ1として、その洗浄水供給用の側壁Ｍ１の左右両端側で、且つ、洗浄槽Ｄの水位が洗浄用水位であるときの湯水貯留槽４０の水面よりも上方側に相当する箇所に形成した一対の洗浄水供給口Ｌａより、その洗浄水供給用の側壁Ｍ１と対向する側壁Ｍ３に向けて、その洗浄水供給用の側壁Ｍ３と隣接する１対の側壁Ｍ２、Ｍ４の壁面に沿って洗浄水を吐出し、かつ、一対の洗浄水供給口Ｌａより吐出される洗浄水の一部を、洗浄水供給用の側壁Ｍ１に沿って流下させるように構成されている。
【００８１】
また、洗浄槽Ｄと案内管１３にて接続される連結用筒部４０Ｃが、洗浄水供給用の側壁Ｍ１と対向する側壁Ｍ３の下端部に連なる状態で形成されている。
【００８２】
説明を加えると、洗浄水供給室Ｎが、洗浄水供給用の側壁Ｍ１に外方に突出する状態で連設されて、洗浄水供給室Ｎの洗浄水供給用の側壁Ｍ１に相当する箇所の左右両側部分に、上述の洗浄水供給口Ｌａが設けられている。
また、洗浄水供給室Ｎにおける外方突出側の壁部の左右方向の中央側箇所に、洗浄水が圧送される入水口として、上述の管接続部４０ａが形成されている。
【００８３】
そして、洗浄水供給室Ｎの内部に、管接続部４０ａからの洗浄水を一対の洗浄水供給口Ｌａに向けて分岐流動させる平面視形状山形状の分水案内部４６が設けられている。
つまり、分水案内部４６と洗浄水供給室Ｎの左右の壁部との間に、一対の洗浄水供給口Ｌａが形成されている。
【００８４】
また、フロート４１と洗浄水供給用の側壁Ｍ１との間に相当する箇所に、一対の洗浄水供給口Ｌａから吐出された洗浄水がフロート４１に飛散するのを抑制する防水壁４７が、洗浄水供給用の側壁Ｍ１に隣接する１対の側壁Ｍ２、Ｍ４との間に洗浄水流動用の隙間ｅを形成する状態で設けられている。
【００８５】
さらに、図１６に示すように、フロート４１におけるフロート本体４１Ａの上面部が、山形状に形成されている。
ちなみに、図１３及び図１７に示すように、洗浄水供給用の側壁Ｍ１の内面には、フロート４１を受け止める突出壁４８が形成されている。
【００８６】
したがって、図１８に示すように、洗浄槽Ｄの水位が洗浄用水位である状態において、洗浄槽Ｄ内の湯水を兼用ポンプ６にて機外に排出するようにしながら、一対の洗浄水供給口Ｌａより洗浄水を吐出することにより、湯水貯留槽の４つの側壁Ｍ１〜Ｍ４における洗浄槽Ｄの水位が洗浄用水位であるときの湯水貯留槽４０の水面Ｙに対応する部分を含めて、湯水貯留槽の４つの側壁Ｍ１〜Ｍ４における汚れを適切に取り除くことができる。
【００８７】
すなわち、洗浄水供給室Ｎの管接続部４０ａに圧送された洗浄水は、洗浄水供給室Ｎの内部に設けられた分水案内部４６にて分岐流動させながら、一対の洗浄水供給口Ｌａに流動されて、その一対の洗浄水供給口Ｌａから吐出されることになる。
【００８８】
そして、一対の洗浄水供給口Ｌａにから吐出される洗浄水は、その洗浄水供給用の側壁Ｍ１と対向する側壁Ｍ３に向けて、その洗浄水供給用の側壁Ｍ１と隣接する１対の側壁Ｍ２、Ｍ４の壁面に沿って流動することになり、また、洗浄水供給室Ｎの洗浄水の流れは、分水案内部４６を障害物として、その分水案内部４６に沿って流動する流れとなるため、カルマン渦の発生により、一対の洗浄水供給口Ｌａにから吐出される洗浄水の一部が、洗浄水供給用の側壁Ｍ１に沿って流下する流れを形成することになる。
【００８９】
ちなみに、一対の洗浄水供給口Ｌａから、洗浄水供給用の側壁Ｍ１と対向する側壁Ｍ３に向けて吐出される洗浄水は、防水壁４７と、洗浄水供給用の側壁Ｍ１に隣接する１対の側壁Ｍ２、Ｍ４との間に形成された洗浄水流動用の隙間ｅを通して、洗浄水供給用の側壁Ｍ１と対向する側壁Ｍ３に向けて流動することになる。
【００９０】
このように洗浄水が流動する結果、湯水貯留槽の４つの側壁Ｍ１〜Ｍ４における洗浄槽Ｄの水位が洗浄用水位であるときの湯水貯留槽４０の水面Ｙに対応する部分を含めて、湯水貯留槽の４つの側壁Ｍ１〜Ｍ４における汚れを適切に取り除くことができる。
【００９１】
つまり、洗浄水供給用の側壁Ｍ１と隣接する１対の側壁Ｍ２、Ｍ４については、その壁面に沿って吐出される洗浄水が、一対の側壁の壁面Ｍ２、Ｍ４を洗浄する作用、及び、一対の洗浄水供給口Ｌａより吐出された洗浄水の流れによって湯水貯留槽４０の水面部分が流動して、一対の側壁Ｍ２、Ｍ４の壁面を洗浄する作用によって、一対の側壁Ｍ２、Ｍ４の壁面が、洗浄槽Ｄの水位が洗浄用水位であるときの湯水貯留槽４０の水面Ｙに対応する部分を含めて洗浄されることになる。
【００９２】
また、洗浄水供給用の側壁Ｍ１と対向する側壁Ｍ３については、一対の洗浄水供給口Ｌａより吐出されて、その対向する側壁Ｍ３の存在箇所に流動した洗浄水が、連結用筒部４０Ｃより湯水貯留槽４０内の湯水が排出されるに伴って、その対向する側壁Ｍ３に沿って流下して、その対向する側壁Ｍ３の壁面を洗浄する作用により、その対向する側壁Ｍ３の壁面が、洗浄槽Ｄの水位が洗浄用水位であるときの湯水貯留槽４０の水面Ｙに対応する部分を含めて洗浄されることになる。
【００９３】
また、洗浄水供給用の側壁Ｍ１については、一対の洗浄水供給口Ｌａより吐出される洗浄水の一部が、洗浄水供給用の側壁Ｍ１に沿って流下するため、その流下する洗浄水が洗浄水供給用の側壁Ｍ１の壁面を洗浄する作用によって、洗浄水供給用の側壁Ｍ１の壁面が、洗浄槽Ｄの水位が洗浄用水位であるときの湯水貯留槽４０の水面Ｙに対応する部分を含めて洗浄されることになる。
【００９４】
また、一対の洗浄水供給口Ｌａから吐出された洗浄水が防水壁４７にて受け止められて、フロート４１に飛散するのが抑制されることになり、さらに、フロート本体４１Ａの上面部が、山形状に形成されているから、フロート本体４１Ａに洗浄水が飛散しても、その飛散した洗浄水が、山形状に形成されたフロート本体４１Ａの上面部に沿って外部に流下するため、フロート本体４１Ａの重量が洗浄水のために重くなることを抑制して、水位検出を適切に行わせることができる。
【００９５】
ちなみに、本実施形態においては、図１８に示すように、分水案内部４６の上端と蓋体４２との間に小さな隙間を形成して、この箇所から流出する洗浄水を、洗浄水供給用の側壁Ｍ１に沿って流下させて、その流下する洗浄水にても洗浄水供給用の側壁Ｍ１の壁面を洗浄するように構成しているが、分水案内部４６の上端と蓋体４２との間に隙間を形成しない形態で実施してもよい。
【００９６】
〔別実施形態〕
次に別実施形態を説明する。
（イ）上記実施形態においては、洗浄水供給室内に分水案内部を設けて、入水口からの洗浄水を左右一対の洗浄水供給口に案内する場合を例示したが、左右一対の洗浄水供給口の夫々に対応して洗浄水供給室を設けて、それらの洗浄水供給室に洗浄水を供給する形態で実施してもよい。
この場合においては、洗浄水供給口の近くに負圧部を形成して、洗浄水供給口からの洗浄水の一部を洗浄水供給用の側壁に沿って流下させるようにすることになるが、必要に応じて、洗浄水供給口からの洗浄水の一部を受け止めて、洗浄水供給用の側壁に沿って流下させる受け止め部を設けてもよい。
【００９７】
（ロ）上記実施形態においては、洗浄水として、排水運転において排水される洗浄槽内の湯水の一部を用いる場合を例示したが、水道水を洗浄水として用いるようにしてもよい。
この場合には、排水運転の行う際に、その初期の段階において、洗浄水を供給することになる。
【００９８】
（ハ）上記実施形態においては、湯水排出水位、洗浄用水位、及び、異常水位が検出される水位検出装置に対して本発明を適用する場合を例示したが、検出する水位の数やその高さが異なる種々の水位検出装置に対して本発明は適用できるものである。
【００９９】
（ニ）上記実施形態においては、フロート本体の上面部を山形状に形成するにあたり、頂部が線状となる場合を例示したが、頂部が１点となる山形状に形成する等、飛散した洗浄水を流下させることができるものであれば、如何なる形状に形成してもよい。
【符号の説明】
【０１００】
６      排水ポンプ
１２    排水路
１２ａ  分岐管
４０    湯水貯留槽
４０ａ  入水口
４０Ｃ  連通口
４１    フロート
４１Ａ  フロート本体
４１Ｂ  軸部
４６    分水案内部
４７    防水壁
Ｄ      洗浄槽
ｅ      隙間
Ｌ      洗浄水供給手段
Ｌａ    洗浄水供給口
Ｍ１    洗浄水供給用の側壁
Ｍ２    隣接する側壁
Ｍ３    対向する側壁
Ｍ４    隣接する側壁
Ｎ      洗浄水供給室
Ｙ      水面
【図１】
0005507371.tif 000002
【図２】
0005507371.tif 000003
【図３】
0005507371.tif 000004
【図４】
0005507371.tif 000005
【図５】
0005507371.tif 000006
【図６】
0005507371.tif 000007
【図７】
0005507371.tif 000008
【図８】
0005507371.tif 000009
【図９】
0005507371.tif 000010
【図１０】
0005507371.tif 000011
【図１１】
0005507371.tif 000012
【図１２】
0005507371.tif 000013
【図１３】
0005507371.tif 000014
【図１４】
0005507371.tif 000015
【図１５】
0005507371.tif 000016
【図１６】
0005507371.tif 000017
【図１７】
0005507371.tif 000018
【図１８】
0005507371.tif 000019